【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
被写体を撮像して画像データを生成する撮像部を備えた撮像装置であって、
当該撮像装置と通信可能な携帯機器に対し、当該撮像装置で取得した第１の特徴情報を送信し、前記携帯機器から前記第１の特徴情報に応じた連結情報を受信する撮影側通信部と、
前記連結情報に基づく動作モードに設定する制御部と、
を備えることを特徴とする撮像装置。
【請求項２】
前記撮像部が生成した前記画像データに対応する画像が所定の撮影条件を満たしているか否かを判定する撮影条件判定部と、
前記撮影条件判定部によって前記画像が前記撮影条件を満たしていないと判定された場合において、前記撮影側通信部を介して前記携帯機器から前記携帯機器の姿勢が変化し続けていることを示す情報を受信したとき、前記撮影側通信部を介して前記携帯機器へ警告に関する情報を送信する撮像側通信制御部と、
をさらに備えることを特徴とする請求項１に記載の撮像装置。
【請求項３】
前記撮像部は、
前記被写体の被写体像を結像する光学系を有し、
当該撮像装置は、
前記光学系の光軸と直交する直交面の水平面に対する当該撮像装置の傾斜角度を検出する水平検出部をさらに備え、
前記撮影条件判定部は、前記水平検出部が検出した傾斜角度に基づいて、前記画像が当該撮像装置の水平状態で撮影されたか否かを前記撮影条件として判定することを特徴とする請求項２に記載の撮像装置。
【請求項４】
前記水平検出部が検出した前記傾斜角度に基づいて、前記画像内における所定の領域を切り出すトリミング処理を行うことによって、当該撮像装置の傾きを前記水平状態に補正したトリミング画像データを生成する画像処理部をさらに備え、
前記撮像側通信制御部は、前記撮影側通信部を介して前記携帯機器から前記画像の傾きを調整する指示信号が入力された場合、前記撮影側通信部を介して前記画像処理部が生成した前記トリミング画像データを前記携帯機器へ送信することを特徴とする請求項３に記載の撮像装置。
【請求項５】
前記画像内に含まれる顔を検出する顔検出部と、
前記顔検出部が検出した前記顔に対して、時間的に連続する複数の前記画像の間で前記光学系の焦点位置を合わせ続けて追尾する追尾被写体として設定する被写体追尾部と、
をさらに備え、
前記撮影条件判定部は、前記被写体追尾部によって設定された前記追尾被写体が前記画像内であるか否かを前記撮影条件として判定することを特徴とする請求項３または４に記載の撮像装置。
【請求項６】
前記携帯機器との連結状態を判定する判定部と、
当該撮像装置に生じる振動を検出する振動検出部と、
をさらに備え、
前記判定部は、前記撮影側通信部を介して前記携帯機器から受信した前記携帯機器で生じた振動のパターンと前記振動検出部が検出した当該撮像装置に生じた振動のパターンとの類似度に基づいて、前記連結状態を判定することを特徴とする請求項５に記載の撮像装置。
【請求項７】
画像を表示する表示部を備えた携帯機器であって、
当該携帯機器と通信可能な撮像装置で取得された第１の特徴情報を受信する機器側通信部と、
当該携帯機器において第２の特徴情報を取得する取得部と、
前記第１の特徴情報と前記第２の特徴情報との類似度を判定する判定部と、
を備えることを特徴とする携帯機器。
【請求項８】
当該携帯機器の姿勢を検出する姿勢検出部と、
前記機器側通信部を介して前記姿勢検出部が検出した検出結果を前記撮像装置へ送信するとともに、前記撮像装置から警告に関する情報を受信する機器側通信制御部と、
をさらに備えることを特徴とする請求項７に記載の携帯機器。
【請求項９】
前記機器側通信部を介して前記撮像装置から送信された画像データに対応する画像が水平状態で撮影されていないことを警告する情報を前記表示部に表示させる表示制御部と、
をさらに備えることを特徴とする請求項８に記載の携帯機器。
【請求項１０】
前記表示部が表示する前記画像に対して、傾きを調整する指示信号の入力を受け付ける操作部をさらに備え、
前記機器側通信部は、前記機器側通信部を介して前記操作部が入力を受け付けた前記指示信号を前記撮像装置へ送信することを特徴とする請求項９に記載の携帯機器。
【請求項１１】
前記表示制御部は、前記機器側通信部を介して前記撮像装置から受信した連結情報に基づいて、前記表示部の表示制御を変更することを特徴とする請求項９または１０に記載の携帯機器。
【請求項１２】
当該携帯機器に生じる振動を検出する振動検出部をさらに備え、
前記機器側通信部は、前記機器側通信部を介して前記振動検出部が検出した振動のパターンを示す情報を前記携帯機器へ送信することを特徴とする請求項８〜１１のいずれか一つに記載の携帯機器。
【請求項１３】
当該携帯機器の背面側に設けられ、被写体を撮像し、該被写体の機器側画像データを生成する背面撮像部をさらに備え、
前記機器側通信部は、前記機器側通信部を介して前記背面撮像部が生成した前記機器側画像データを前記撮像装置へ送信することを特徴とする請求項８〜１２のいずれか一つに記載の携帯機器。
【請求項１４】
被写体を撮像して画像データを生成する撮像装置と、前記撮像装置との間で通信を行う携帯機器と、を備えた撮像システムにおいて、
前記撮像装置は、
前記携帯機器に対し、当該撮像装置で取得した第１の特徴情報を送信し、前記携帯機器から前記第１の特徴情報に応じた連結情報を受信する撮影側通信部と、
前記連結情報に基づく動作モードに設定する制御部と、
を備え、
前記携帯機器は、
当該携帯機器と通信可能な撮像装置で取得された第１の特徴情報を受信する機器側通信部と、
当該携帯機器において第２の特徴情報を取得する取得部と、
前記第１の特徴情報と前記第２の特徴情報との類似度を判定する判定部と、
を備えることを特徴とする撮像システム。
【請求項１５】
携帯機器と撮像装置とを実質的に連結および分離することが可能な連結判定方法であって、
前記撮像装置で取得した第１の特徴情報を取得する第１の取得ステップと、
前記携帯機器で取得した第２の特徴情報を取得する第２の取得ステップと、
前記第１の特徴情報と前記第２の特徴情報との類似度を判定する類似度判定ステップと、
前記類似度判定ステップの判定結果に基づいて、前記携帯機器と前記撮像装置とが連結されているか、または分離されているかを判定する判定ステップと、
を含むことを特徴とする連結判定方法。
【請求項１６】
携帯機器と撮像装置とを実質的に連結および分離することが可能な撮像システムに、
前記撮像装置で取得した第１の特徴情報を取得する第１の取得ステップと、
前記携帯機器で取得した第２の特徴情報を取得する第２の取得ステップと、
前記第１の特徴情報と前記第２の特徴情報との類似度を判定する類似度判定ステップと、
前記類似度判定ステップの判定結果に基づいて、前記携帯機器と前記撮像装置とが連結されているか、または分離されているかを判定する判定ステップと、
を実行させることを特徴とするプログラム。
【請求項１７】
撮像装置が実行する通信方法であって、
当該撮像装置と通信可能な携帯機器に対し、当該撮像装置で取得した第１の特徴情報を送信する送信ステップと、
前記携帯機器から前記第１の特徴情報に応じた連結情報を受信する受信ステップと、
前記連結情報に基づく動作モードに設定する制御ステップと、
を含むことを特徴とする通信方法。
【手続補正２】
【補正対象書類名】明細書
【補正対象項目名】発明の名称
【補正方法】変更
【補正の内容】
【発明の名称】撮像装置、携帯機器、撮像システム、連結判定方法、プログラムおよび通信方法